(57)【要約】  【課題】屈まずにそのままの姿勢で食品の出し入れができる冷蔵庫中央部の貯蔵室を有効活用し、使い勝手の良いよい冷蔵庫を提供する。  【解決手段】最上部に冷蔵室１０２と、最下部に野菜室１０６、前記冷蔵室と前記野菜室の間に冷凍温度帯の貯蔵室を複数備え、前記冷凍温度帯の貯蔵室の一部を多温度領域に温度設定可能な切替室１０３としたことで、利便性の高い貯蔵室を屈まずにそのままの姿勢で食品の出し入れができ使い勝手を向上させられると同時に、これまで以上に冷蔵庫が活用され家庭での食生活の向上が図れる。【選択図】図２
2010060263.tif 000002
【特許請求の範囲】
【請求項１】
複数の貯蔵室を備えた断熱箱体であって、前記貯蔵室の中で冷凍温度帯に設定可能な冷凍室は上下方向における両側に隣接貯蔵室が備えられるとともに前記冷凍室は複数設けられるものであり、前記複数の冷凍室の少なくとも１つは多温度領域に温度設定可能とした冷蔵庫。
【請求項２】
断熱箱体の最上部に冷蔵室と、最下部に野菜室、前記冷蔵室と前記野菜室の間に冷凍温度帯の貯蔵室を複数備え、前記冷凍温度帯の貯蔵室の中で最上部に位置する貯蔵室を多温度領域に温度設定可能な冷凍室とした請求項１に記載の冷蔵庫。
【請求項３】
多温度領域に温度設定可能な冷凍室もしくは切替室の天面に、食品の表面温度を検知する赤外線センサーを設置した請求項１から３のいずれか一項に記載の冷蔵庫。
【請求項４】
多温度領域に温度設定可能な冷凍室に備えられた赤外線センサーは、複数の赤外線センサーで構成されるもしくは可動式の赤外線センサーであることで、検知範囲を高めた請求項３に記載の冷蔵庫。
【請求項５】
多温度領域に温度設定可能な冷凍室は、貯蔵室内において複数の領域に分かれて冷気を吐出する冷気吐出口を備え、赤外センサーによって熱いものが収納されたと判断した領域に対して集中冷却を行う請求項４に記載の冷蔵庫。
【請求項６】
赤外線センサーがあらかじめ設定された温度以上を検知すると、熱いものが収納されたと判断しあらかじめ設定された所定温度以下となるまで冷却を中止する請求項３から５のいずれか一項に記載の冷蔵庫。
【発明の詳細な説明】
【技術分野】
【０００１】
本発明は、省エネルギーおよび使い勝手を追求した冷蔵庫に関するものである。
【背景技術】
【０００２】
近年、冷蔵庫の大容量化の需要が高まるにつれて、無効空間縮小による容積効率の向上を図った冷蔵庫や、使い勝手の観点からさまざまなレイアウトの冷蔵庫や、冷やす、冷凍するといった単純な保存機能は、食材固有の美味しさや食感を損なわずに保存する機能に進化させ付加価値を高めた冷蔵庫が発売されている。特に冷凍食品の普及や充実に加え、共働きによる週末のまとめ買いや、物価高による特価日を活かしたまとめ買いとともに、これをそれぞれ小分けし冷凍保存したり、あらかじめ大量に調理した食材を一人分などの分量に小分けして冷凍保存するホームフリージングの増加により冷凍室の使用頻度が高くなり、冷凍室の大容量化や使い勝手が求められている。
【０００３】
その中で、特に冷凍室の使い勝手の向上を実現するために、全体の内容積が４００Ｌ以上で全高が約１７００ｍｍから１８００ｍｍ大型冷蔵庫では、屈まずに出し入れできる中央部に冷凍室を配置させたレイアウトの冷蔵庫が提案されている（例えば、特許文献１参照）。
【０００４】
以下、図面を参照しながら上記従来の冷蔵庫を説明する。
【０００５】
図７は、特許文献１に記載されている冷蔵庫の側面縦断面図であり、断熱箱体１の内部は上下二つの断熱仕切体５、６によって上部の冷蔵室７と、中央の冷凍室８と、下部の野菜室９とに区画され、冷蔵室７にはチルド室１０が設けられ、また冷凍室８の開口部左右間にはその開口部を上下に区分する仕切体１１が設けられている。
【０００６】
冷凍室８内には、食品を収納するための容器２７，２８が設けられ、容器２７と容器２８は共に冷凍温度帯に維持された冷凍室として使用されている。
【０００７】
冷凍室８の背面側に設けられた冷気生成室１２には冷気を生成する蒸発器１３と、冷気を各室に供給・循環させる送風機１４が配置され、さらに冷気を各室に分配する冷気分配室３０が設けられ、その前面には複数の冷気供給口が形成されている。
【０００８】
冷気分配室３０の前面には容器２７と容器２８の上部開口面に向けた冷気供給口３０ａ、３０ｂに加え、容器２７の冷気通路２７ａに対応する冷気供給口３０ｃが設けられ、同冷気供給口３０ｃより吐出する冷気を容器２７の冷気通路２７ａに通すことで、食品を短時間に凍結することが可能となる。
【特許文献１】特開２０００−３０４４３５号公報
【発明の開示】
【発明が解決しようとする課題】
【０００９】
上記従来の構成は、使い勝手の良い冷蔵庫中央部に冷凍室を配置し、容器２７内の風路を工夫することにより、食品の凍結時間を短縮させるものである。
【００１０】
近年の大型冷蔵庫は、食品を冷やす、凍結させるといった単機能だけでなく、生鮮食品を美味しく長持ちさせる約１℃のチルド温度帯や約−３℃の微凍結温度帯、肉などを調理しやすい温度で保存する約−７℃の弱冷凍温度帯など保存性を高めた貯蔵室や、調理した直後の熱いままの食品を熱さまししてから冷蔵庫に入れる手間を省いたあら熱とりや、熱いまま冷凍保存機能など、様々な機能を付加したものが主流であり、ユーザーの食生活に応じてユーザー自身が選択し広範囲に多岐にわたって使えるものとなっている。切替室はその一例であり、ユーザーが冷蔵室に収納する食品が多いときには冷蔵設定にし、肉や魚の生鮮食品が多いときにはチルドや微凍結温度設定にすることにより冷蔵庫をユーザー自身に合ったものに適応させられるのである。
【００１１】
しかしながら、上記従来の構成では、冷蔵庫中央部は冷凍室のみであり、屈まずにそのままの姿勢で扉の開閉を行える最も使い勝手の良い位置にあるものの、複数の温度帯には対応しておらずユーザーによっては使い勝手が悪くなる可能性があった。
【００１２】
本発明は、上記の課題を解決するもので、使い勝手の最もよい冷蔵庫中央部に使用頻度の高い冷凍室を設け、その冷凍室の一角に広範囲に設定温度を切替えられる切替室や熱いものをそのまま保存できる便利機能を備えた使い勝手のよい冷蔵庫を提供することを目的とする。
【課題を解決するための手段】
【００１３】
上記従来の課題を解決するために、複数の貯蔵室を備えた断熱箱体であって、前記貯蔵室の中で冷凍温度帯に設定可能な冷凍室は上下方向における両側に隣接貯蔵室が備えられるとともに前記冷凍室は複数設けられるものであり、前記複数の冷凍室の少なくとも１つは多温度領域に温度設定可能としたものである。
【００１４】
これによって、最も使い勝手の良い冷蔵庫中央部に使用頻度の高い冷凍室を配置させるとともに、ユーザーの食生活に応じてユーザー自身が選択し広範囲に多岐にわたって活用できる温度設定が可能としたことにより、よりユーザーの使い勝手を向上させた冷蔵庫を提供することができる。
【００１５】
また、冷凍温度帯に設定可能な冷凍室は上下方向における両側に隣接貯蔵室が備えられることで、冷凍室が断熱箱体を介して外気と接触する面積を抑えることができ、より省エネルギーを実現した冷蔵庫を提供することが可能となる。
【発明の効果】
【００１６】
本発明の冷蔵庫は、ユーザーの食生活に応じてユーザー自身が選択し広範囲に多岐にわたって使用できる使い勝手がよく、省エネルギーでの運転が可能な冷蔵庫を提供することができる。
【発明を実施するための最良の形態】
【００１７】
請求項１に記載の冷蔵庫は、複数の貯蔵室を備えた断熱箱体であって、前記貯蔵室の中で冷凍温度帯に設定可能な冷凍室は上下方向における両側に隣接貯蔵室が備えられるとともに前記冷凍室は複数設けられるものであり、前記複数の冷凍室の少なくとも１つは多温度領域に温度設定可能としたものである。
【００１８】
これによって、最も使い勝手の良い冷蔵庫中央部に使用頻度の高い冷凍室を配置させるとともに、ユーザーの食生活に応じてユーザー自身が選択し広範囲に多岐にわたって活用できる温度設定が可能としたことにより、よりユーザーの使い勝手を向上させた冷蔵庫を提供することができる。
【００１９】
また、冷凍温度帯に設定可能な冷凍室は上下方向における両側に隣接貯蔵室が備えられることで、冷凍室が断熱箱体を介して外気と接触する面積を抑えることができ、より省エネルギーを実現した冷蔵庫を提供することが可能となる。
【００２０】
請求項２に記載の冷蔵庫は、断熱箱体の最上部に冷蔵室と、最下部に野菜室、前記冷蔵室と前記野菜室の間に冷凍温度帯の貯蔵室を複数備え、前記冷凍温度帯の貯蔵室の中で最上部に位置する貯蔵室を多温度領域に温度設定可能な冷凍室としたものである。
【００２１】
これによって、複数の冷凍室の中で多温度領域に温度設定可能な冷凍室を最も上部に位置させることで冷凍温度帯よりも高い温度に設定された場合でも、他の冷凍室への熱影響をできるだけ低減することが可能となり、より省エネルギーを実現した冷蔵庫を提供することが可能となる。
【００２２】
また、冷蔵室の直下に位置し最も使い勝手の良い冷蔵庫中央部に多温度領域に温度設定可能な冷凍室を配置させることで、最も使い勝手の良い位置の貯蔵室をユーザーの食生活に応じてユーザー自身が選択し広範囲に多岐にわたって利用することができるので、使い勝手のよい冷蔵庫を提供することができる。
【００２３】
請求項３に記載の冷蔵庫は、多温度領域に温度設定可能な冷凍室もしくは切替室の天面に、食品の表面温度を検知する赤外線センサーを設置したことにより、切替室内に収納された食品の温度を瞬時に判断でき、あら熱をとる機能や、熱いままの食品を冷凍保存できる機能を付加した場合には、切替室の冷却を中止させ、食品の熱負荷による他の貯蔵室への温度影響を抑制することができる。
【００２４】
請求項４に記載の冷蔵庫は、多温度領域に温度設定可能な冷凍室に備えられた赤外線センサーは、複数の赤外線センサーで構成されるもしくは可動式の赤外線センサーであることで、検知範囲を高めたものである。
【００２５】
これによって、赤外線センサーとして検知範囲や検知精度を高めることができる。
【００２６】
請求項５に記載の冷蔵庫は、多温度領域に温度設定可能な冷凍室は、貯蔵室内において複数の領域に分かれて冷気を吐出する冷気吐出口を備え、赤外センサーによって熱いものが収納されたと判断した領域に対して集中冷却を行うものである。
【００２７】
これによって、赤外線センサーで検知する温度の情報により、貯蔵室内への食品等の収納物を投入した場合に、新たな収納物投入による温度上昇を赤外線センサーが検知し、集中冷却を行い、速やかに温度低下させるので温度が高い状態を長く維持することによる食品品質の劣化（変質，変色，乾燥等）や他の食品への温度影響を阻止することができる。
【００２８】
請求項６に記載の冷蔵庫は、赤外線センサーがあらかじめ設定された温度以上を検知すると、熱いものが収納されたと判断しあらかじめ設定された所定温度以下となるまで冷却を中止するものである。
【００２９】
これによって、熱いままの食品温度がある程度低下するまで冷却するのを中止し、ある程度食品温度が低下した後に冷却を開始することにより、熱いままの食品による温度上昇した空気が冷却器に戻り、温度上昇した空気による冷却器の蒸発温度の上昇を抑え、他の貯蔵室へ送風される冷気温度の上昇を抑えることができる。特に冷却器の蒸発温度の上昇、すなわち冷気温度の上昇により製氷室、冷凍室に影響が出るのを防ぐことができる。
【００３０】
以下、本発明の実施の形態について、図面を参照しながら説明する。なお、この実施の形態によってこの発明が限定されるものではない。
【００３１】
（実施の形態１）
図１は本発明の実施の形態１による冷蔵庫の正面図である。図２は本発明の実施の形態１による冷蔵庫の側面縦断面図である。図３は本発明の実施の形態１による切替室と冷凍室の一部拡大側面縦断面図である。
【００３２】
図１から図３に示すように、冷蔵庫本体１０１は、前方に開口する金属製（例えば鉄板）の外箱１４１と硬質樹脂製（例えばＡＢＳ）の内箱１４２と、外箱１４１と内箱１４２の間に発泡充填された硬質発泡ウレタン断熱材１４３からなる断熱箱体で、この本体の上部に設けられた冷蔵室１０２と、冷蔵室の下に設けられた切替室１０３と、冷蔵室１０２の下で切替室１０３に並列に設けられた製氷室１０４と、本体下部に設けられた野菜室１０６と、並列に設置された切替室１０３及び製氷室１０４と野菜室１０６の間に設けられた冷凍室１０５で構成されている。切替室１０３と製氷室１０４と冷凍室１０５と野菜室１０６の前面部は引き出し式の扉により開閉自由に閉塞されると共に、冷蔵室１０２の前面は、例えば観音開き式の図示しない扉により開閉自由に閉塞される。
【００３３】
冷蔵室１０２は冷蔵保存のために凍らない温度を下限に通常１〜５℃で設定されている。野菜室１０６は冷蔵室１０２と同等もしくは若干高い温度設定の２℃〜７℃とすることが多い。低温にすれば葉野菜の鮮度を長期間維持することが可能である。冷凍室１０５は冷凍保存のために通常−２２から−１８℃で設定されているが、冷凍保存状態の向上のために、たとえば−３０から−２５℃の低温で設定されることもある。切替室１０３は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。たとえば、ソフト冷凍（概ね−１２〜−６℃程度），パーシャルフリージング（概ね−５〜−１℃程度），チルド（概ね−１〜１℃程度）等の冷蔵と冷凍の中間の温度帯である。切替室１０３は製氷室１０４に並設された独立扉を備えた貯蔵室であり、引き出し式の扉を備えることが多い。
【００３４】
上記のように、本実施の形態では切替室１０３も貯蔵室の中で冷凍温度帯に設定可能な冷凍室の一形態であり、冷凍室の中で最も上部に位置する冷凍室として切替室１０３が位置している。
【００３５】
製氷室１０４は、冷蔵室１０２内の貯水タンク（図示せず）から送られた水で室内上部に設けられた自動製氷機（図示せず）で氷を作り、室内下部に配置した貯氷容器（図示せず）に貯蔵しておくスペースであり、切替室１０３に並設された間口の小さい独立扉を備えた貯蔵室であり、引き出し式の扉を備えることが多い。
【００３６】
冷蔵庫本体１０１の天面部は、冷蔵庫本体１０１の背面方向に向かって階段状に凹みを設けて機械室１１９があり、第一の天面部と第二の天面部で構成されている。この階段状の凹部に配置された圧縮機１１７と、凝縮器（図示せず）と、水分除去を行うドライヤ（図示せず）と、キャピラリーチューブ１１８と、冷却器１０７と、吸入管１０８を順次環状に接続してなる冷凍サイクルに冷媒を封入し、冷却運転を行う。すなわち、圧縮機１１７を配設する機械室１１９は、冷蔵室１０２内の最上部の後方領域に食い込んで形成されることになる。手が届きにくくデッドスペースとなっていた冷蔵庫本体１０１の最上部の貯蔵室の後方領域に機械室１１９を設けて圧縮機１１７を配置することにより、従来の冷蔵庫で、使用者が使いやすい冷蔵庫本体１０１の最下部にあった機械室のスペースを貯蔵室容量として有効に転化することができ、収納性や使い勝手を大きく改善することができる。なお、本実施の形態における、以下に述べる発明の要部に関する事項は、従来一般的であった冷蔵庫本体１０１の最下部の貯蔵室の後方領域に機械室を設けて圧縮機１１７を配置するタイプの冷蔵庫に適用しても構わない。
【００３７】
冷媒には近年、環境保護のためにＲ６００ａなどの可燃性冷媒を用いることが多い。なお、三方弁や切替弁を用いる冷凍サイクルの場合は、それらの機能部品を機械室内に配設することも出来る。
【００３８】
製氷室１０４と切替室１０３、冷凍室１０５の背面には冷却室１２０が設けられ、冷却室１２０は断熱性を有する第一の冷却ダクト１２１により製氷室１０４と切替室１０３、冷凍室１０５と仕切られている。冷却室１２０内には、代表的なものとしてフィンアンドチューブ式の冷却器１０７が配設されており、冷却器１０７の上部空間には強制対流方式により冷却器１０７で冷却した冷気を冷蔵室１０２、切替室１０３、製氷室１０４、野菜室１０６、冷凍室１０５に送風する冷却ファン１２２が配置され、冷却器１０７の下部空間には冷却時に冷却器１０７や冷却ファン１２２に付着する霜を除霜する装置としてのガラス管製のラジアントヒータ１２３が設けられている。
【００３９】
第一の冷却ダクト１２１には、冷凍室１０５と冷蔵室１０２、切替室１０３、製氷室１０４に冷気を送風するための冷却風路１２４が形成されている。また、第一の冷却ダクト１２１には冷蔵室１０２と切替室１０３の冷気の流れをそれぞれ調節するダンパー装置としてのツインダンパー１２５が設けられており、冷蔵室１０２と切替室１０３の冷気の流れをそれぞれ調節するダンパー装置をツインダンパー化することにより収容スペースのコンパクト化とコスト削減を図っている。なお、冷却室１２０と第一の冷却ダクト１２１の高さ方向の寸法に余裕度が無いときには、ツインダンパーを冷蔵室１０２と切替室１０３，製氷室１０４を仕切る第一の仕切壁１３２に設置することにより、冷却室１２０内の冷却器１０７や冷却ファン１２２、ラジアントヒータ１２３の配置構成が容易になる。
【００４０】
切替室１０３の背面に相当する第一の冷却ダクト１２１には切替室１０３の温度設定に基づき温度調節するためにツインダンパー１２５を開閉させる切替室温度センサー１３６が備えられている。
【００４１】
製氷室１０４の背面に相当する第一の冷却ダクト１２１には、製氷室１０４を冷却するための図示しない冷気吐出口が設けられ、冷凍室１０５の背面に相当する第一の冷却ダクト１２１には、冷凍室１０５を冷却するための冷気が流れる冷凍室用冷気吐出口１２６と吸込口１２７が設けられている。切替室１０３の背面に相当する第一の冷却ダクト１２１には、ツインダンパー１２５により調節された冷気が切替室１０３内に流入する切替室用冷気吐出口１２８と、冷却室１２０に冷気が戻る切替室用冷気吸込口（図示せず）が設けられている。
【００４２】
切替室１０３、冷凍室１０５、製氷室１０４にはそれぞれ食品または氷を収納するための切替室用収納容器１３０、冷凍室用収納容器１３１、貯氷容器（図示せず）が設置されている。比較的小容量な切替室１０３に比べ大容量である冷凍室１０５の冷凍室用収納容器１３１は複数個あると収納に便利である。
【００４３】
冷蔵室１０２と切替室１０３，製氷室１０４を仕切る第一の仕切壁１３２と、冷凍室１０５と野菜室１０６を仕切る第二の仕切壁１３３は硬質発泡ウレタンなどの発泡断熱材が発泡充填され、温度差の大きい冷蔵温度帯と冷凍温度帯の断熱性を高めると同時に、冷蔵庫本体１０１の強度を増す役割を果たしている。
【００４４】
切替室１０３は、製氷室１０４と第三の仕切り壁１３４で区画され、冷凍室１０５と第四の仕切り壁１３５で区画されている。第三の仕切り壁１３４と第四の仕切り壁１３５は断熱仕切りであり、第一の冷却ダクト１２１の構成と取り付け方法により断熱材として硬質発泡ウレタンもしくは発泡ポリスチレンとし、硬質発泡ウレタンを用いると断熱性を高められ、特に第四の仕切り壁１３５に硬質発泡ウレタンを用いると切替室１０３を冷蔵温度帯に設定した場合の温度調節が容易となり温度補償用ヒータが不要もしくは必要容量を削減でき、コスト面と消費電力量面でメリットが生まれる。一方、切替室１０３の冷却風路と第一の冷却ダクト１２１の構成、冷却ファン１２２の配置が冷却器１０７の中央に位置しないなど、冷却室１０７が複雑化する。発泡ポリスチレンを用いた場合は、第一の冷却ダクト１２１の構成が簡単であり、取り外しも可能となるため、製造面、サービス面でメリットが生まれる一方、高質発泡ウレタンに比べ約３倍断熱性能が劣るために、切替室１０３を冷蔵温度帯に設定した場合の温度調節が困難となり温度補償用ヒータが必要となり、コスト面と消費電力量面でマイナスである。
【００４５】
以上のように構成された冷蔵庫について、以下その動作、作用について説明する。
【００４６】
まず、冷凍サイクルの動作について説明する。庫内の設定された温度に応じて制御基板（図示せず）からの信号により冷凍サイクルが動作して冷却運転が行われる。圧縮機１１７の動作により吐出された高温高圧の冷媒は、凝縮器（図示せず）にて放熱して凝縮液化し、キャピラリーチューブ１１８に至る。その後、キャピラリーチューブ１１８では圧縮機１１７への吸入管１０８と熱交換しながら減圧されて低温低圧の液冷媒となって冷却器１０７に至る。冷却ファン１２２の動作により、各貯蔵室内の空気と熱交換されて冷却器１２２内の冷媒は蒸発気化し低温の冷気となる。低温の冷気は冷却ファン１２２から第一の冷却ダクト１２１に送られ、第一の冷却ダクト１２１内の冷却風路１２４から冷気の一部は冷凍室１０５と製氷室１０４に送風される。また残りの冷気はツインダンパー１２５を経由し冷蔵室１０２と切替室１０３とに送風され、所望の冷却を行う。冷却器１０７を出た冷媒は吸入管を経て圧縮機１１７へと吸い込まれる。
【００４７】
冷凍室１０５に送風される冷気は、冷凍室用冷気吐出口１２６から冷凍室用収納容器１３１内に吐出され、吸込口１２７から冷却器１０７に戻る。製氷室１０４に送風される冷気は、製氷室１０４用の冷気吐出口（図示せず）から貯氷容器（図示せず）内に吐出され、吸込口１２７から冷却器１０７に戻る。つまり製氷室１０４に吐出された冷気は、冷凍室１０５と同じ吸込口１２７から冷却器１０７に戻ることとなる。これにより、製氷室１０４用の戻りダクトを設ける必要がなく第一の冷却ダクト１２１の簡素化が図れる。
【００４８】
冷蔵室１０２に送風される冷気は、ツインダンパー１２５の冷蔵室１０２用フラップを経由し冷蔵室１０２に送風され、冷蔵室１０２を冷却した後冷蔵室用の戻りダクト（図示せず）を通り、野菜室１０６に送風される。冷蔵室１０２に送風された冷気は、野菜室用戻りダクト（図示せず）を経由し冷却器１０７に戻る。つまり野菜室１０６は、冷蔵室１０２の戻り冷気を利用し貯蔵室内を冷却している。これにより、冷蔵室１０２の戻りダクト（図示せず）を野菜室１０６の送風用ダクト兼用できるため、第一の冷却ダクト１２１の簡素化が図れ、さらに兼用することによりできたスペースを冷却器１０７に利用し、冷却器１０７を拡大させ冷却器能力を向上させることで、冷却能力や消費電力量の向上につなげられる。
【００４９】
なお、野菜室１０６の冷却方法として冷蔵室１０２の戻り冷気を利用せず、第一の冷却ダクト１２１内に野菜室１０６の専用風路を構成し冷却ファン１２２から送風された冷気で冷却することにより、冷気温度が低温のため比較的少ない風量で野菜室１０６を冷却できるため、野菜室１０６内の乾燥が進むのを抑制でき野菜の保鮮性を高められる。
【００５０】
切替室１０３に送風される冷気は、ツインダンパー１２５の切替室１０３用フラップを経由し切替室用冷気吐出口１２８から切替室用収納容器１３０内に吐出され、切替室用冷気吸込口（図示せず）から冷却器１０７に戻る。あらかじめユーザーが設定した温度帯、例えばパーシャルフリージングの設定温度が−３℃とすると、切替室温度センサー１３６が切替室１０３内の温度を検知し−３℃になるようにツインダンパー１２５の切替室１０３用フラップを開閉させる。
【００５１】
また、切替室１０３は食品のあら熱とり機能や熱いままの食品を冷凍保存できる機能を付け加えることもできる。従来、熱いままの食品、例えば調理したての熱いままの食品のあら熱をとる場合や炊き立ての御飯を冷凍保存する場合、常温で一度熱さましを行ってから冷蔵庫に収納するよう取扱説明書などで啓蒙してきた。これは、熱いままの食品を収納することにより、冷蔵庫に収納されていた他の食品に温度影響を与え、特に冷凍保存されていた食品が溶けたりする不具合が生じるためである。しかしながら本実施例においては、切替室１０３は上下、左右共に隣接する製氷室１０４と冷凍室１０５と断熱しているため、熱いままの食品を収納しても他の食品への温度影響は少ない。さらに、切替室温度センサー１３６とツインダンパー１２５により、切替室温度センサー１３６があらかじめ設定された温度以上を検知すると、熱いものが収納されたと判断しあらかじめ設定された所定温度以下となるまでツインダンパー１２５の切替室１０３用フラップを閉させ冷却を中止する。これは、熱いままの食品温度がある程度低下するまで冷却するのを止め、ある程度食品温度が低下した後に冷却を開始することにより、熱いままの食品による切替室１０３の温度上昇した空気が冷却器１０７に戻り、温度上昇した空気による冷却器１０７の蒸発温度の上昇を抑え、他の貯蔵室へ送風される冷気温度の上昇を抑えるものである。特に冷却器１０７の蒸発温度の上昇、すなわち冷気温度の上昇により製氷室１０４、冷凍室１０５に影響が出るのを防ぐためである。なお、あら熱とり機能や熱いままの食品を冷凍保存できる機能がユーザーの設定、例えばボタンで開始するような場合には、切替室１０３に熱いままの食品が収納されたことが判断できるので、より他の貯蔵室への温度影響を抑制することができる。
【００５２】
また、切替室温度センサー１３６に加え、例えば第一の仕切壁１３２に赤外線センサー１３８を設け切替室用収納容器１３０内に収納された食品の温度を検知すれば、食品の温度を瞬時に判断でき、ツインダンパー１２５の切替室１０３用フラップを閉させ冷却を中止し他の貯蔵室への温度影響の抑制精度を向上させられる。
【００５３】
冷蔵庫の使い易さに対して、日本人成人女性の標準的な身長（１５７ｃｍ）の使用者の肘高さである９７センチ（図説エルゴノミクス，日本規格協会編，１９９０年発行）付近は、最も冷蔵庫を使用する成人女性が屈まずにそのままの姿勢で扉の開閉を行える位置である。この位置に使用頻度が高い冷凍室や製氷室、またユーザーが用途に応じ様々な温度を切替えられ、急速冷凍機能など多岐にわたり広範囲に使用できる利便性の高い切替室を配置することで、使い勝手が増しこれまで以上に冷蔵庫が活用され家庭での食生活の向上に寄与するものである。
【００５４】
（実施の形態２）
図４は、本発明の実施の形態２による切替室と冷凍室の一部拡大側面縦断面図である。
【００５５】
なお、実施の形態１と同一構成もしくは同一の技術思想が適用できる部分については詳細な説明を省略する。
【００５６】
図４において、切替室１０３は、通常−２２℃〜−１５℃で設定される冷凍の温度帯以外に、たとえば、ソフト冷凍（概ね−１２〜−６℃程度），パーシャルフリージング（概ね−５〜−１℃程度）等の０℃以下の温度帯である。切替室１０３は製氷室１０４に並設された独立扉を備えた貯蔵室であり、引き出し式の扉を備えることが多い。
【００５７】
第一の冷却ダクト１２１には、冷凍室１０５と冷蔵室１０２、切替室１０３、製氷室１０４に冷気を送風するための冷却風路１２４が形成されている。また、第一の冷却ダクト１２１には冷蔵室１０２と切替室１０３の冷気の流れをそれぞれ調節するダンパー装置としてのツインダンパー１２５が設けられており、冷蔵室１０２と切替室１０３の冷気の流れをそれぞれ調節するダンパー装置をツインダンパー化することにより収容スペースのコンパクト化とコスト削減を図っている。なお、冷却室１２０と第一の冷却ダクト１２１の高さ方向の寸法に余裕度が無いときには、ツインダンパーを冷蔵室１０２と切替室１０３，製氷室１０４を仕切る第一の仕切壁１３２に設置することにより、冷却室１２０内の冷却器１０７や冷却ファン１２２、ラジアントヒータ１２３の配置構成が容易になる。
【００５８】
切替室１０３の背面に相当する第一の冷却ダクト１２１には切替室１０３の温度設定に基づき温度調節するためにツインダンパー１２５を開閉させる切替室温度センサー１３６が備えられている。
【００５９】
製氷室１０４の背面に相当する第一の冷却ダクト１２１には、製氷室１０４を冷却するための図示しない冷気吐出口が設けられ、冷凍室１０５の背面に相当する第一の冷却ダクト１２１には、冷凍室１０５を冷却するための冷気が流れる冷凍室用冷気吐出口１２６と吸込口１２７が設けられている。切替室１０３の背面に相当する第一の冷却ダクト１２１には、ツインダンパー１２５により調節された冷気が切替室１０３内に流入する切替室用冷気吐出口１２８が設けられている。
【００６０】
切替室１０３、冷凍室１０５、製氷室１０４にはそれぞれ食品または氷を収納するための切替室用収納容器１３０、冷凍室用収納容器１３１、貯氷容器（図示せず）が設置されている。比較的小容量な切替室１０３に比べ大容量である冷凍室１０５の冷凍室用収納容器１３１は複数個あると収納に便利である。
【００６１】
冷蔵室１０２と切替室１０３，製氷室１０４を仕切る第一の仕切壁１３２と、冷凍室１０５と野菜室１０６を仕切る第二の仕切壁１３３は硬質発泡ウレタンなどの発泡断熱材が発泡充填され、温度差の大きい冷蔵温度帯と冷凍温度帯の断熱性を高めると同時に、冷蔵庫本体１０１の強度を増す役割を果たしている。
【００６２】
切替室１０３は、製氷室１０４と断熱性を有しない第三の仕切り壁１３４で区画され、第三の仕切り壁１３４には切替室１０３の引き出し用レールが形成されている。
【００６３】
以上のように構成された冷蔵庫について、以下その動作、作用について説明する。
【００６４】
冷凍室１０５に送風される冷気は、冷凍室用冷気吐出口１２６から冷凍室用収納容器１３１内に吐出され、吸込口１２７から冷却器１０７に戻る。製氷室１０４に送風される冷気は、製氷室１０４用の冷気吐出口（図示せず）から貯氷容器（図示せず）内に吐出され、吸込口１２７から冷却器１０７に戻る。つまり製氷室１０４に吐出された冷気は、冷凍室１０５と同じ吸込口１２７から冷却器１０７に戻ることとなる。これにより、製氷室１０４用の戻りダクトを設ける必要がなく第一の冷却ダクト１２１の簡素化が図れる。
【００６５】
冷蔵室１０２に送風される冷気は、ツインダンパー１２５の冷蔵室１０２用フラップを経由し冷蔵室１０２に送風され、冷蔵室１０２を冷却した後冷蔵室用の戻りダクト（図示せず）を通り、野菜室１０６に送風される。冷蔵室１０２に送風された冷気は、野菜室用戻りダクト（図示せず）を経由し冷却器１０７に戻る。つまり野菜室１０６は、冷蔵室１０２の戻り冷気を利用し貯蔵室内を冷却している。これにより、冷蔵室１０２の戻りダクト（図示せず）を野菜室１０６の送風用ダクト兼用できるため、第一の冷却ダクト１２１の簡素化が図れ、さらに兼用することによりできたスペースを冷却器１０７に利用し、冷却器１０７を拡大させ冷却器能力を向上させることで、冷却能力や消費電力量の向上につなげられる。
【００６６】
なお、野菜室１０６の冷却方法として冷蔵室１０２の戻り冷気を利用せず、第一の冷却ダクト１２１内に野菜室１０６の専用風路を構成し冷却ファン１２２から送風された冷気で冷却することにより、冷気温度が低温のため比較的少ない風量で野菜室１０６を冷却できるため、野菜室１０６内の乾燥が進むのを抑制でき野菜の保鮮性を高められる。
【００６７】
切替室１０３に送風される冷気は、ツインダンパー１２５の切替室１０３用フラップを経由し切替室用冷気吐出口１２８から切替室用収納容器１３０内に吐出され、吸込口１２７から冷却器１０７に戻る。つまり切替室１０３に吐出された冷気は、冷凍室１０５と同じ吸込口１２７から冷却器１０７に戻ることとなる。これにより、製氷室１０４と同様に切替室１０３用の戻りダクトを設ける必要がなく第一の冷却ダクト１２１の簡素化が図れる。
【００６８】
あらかじめユーザーが設定した温度帯、例えばパーシャルフリージングの設定温度が−３℃とすると、切替室温度センサー１３６が切替室１０３内の温度を検知し−３℃になるようにツインダンパー１２５の切替室１０３用フラップを開閉させる。切替室１０３は、通常−２２℃〜−１５℃で設定される冷凍の温度帯以外に、たとえば、ソフト冷凍（概ね−１２〜−６℃程度），パーシャルフリージング（概ね−５〜−１℃程度）等の０℃以下の温度帯に切替えられる貯蔵室である。
【００６９】
このようにして、切替室１０３は、製氷室１０４と断熱性を有しない第三の仕切り壁１３４で区画され、冷凍室１０５とは仕切り壁として区画していないので、安価で簡単に切替室１０３を形成しながら、他の貯蔵室には無い温度帯のソフト冷凍（概ね−１２〜−６℃程度），パーシャルフリージング（概ね−５〜−１℃程度）等の０℃以下に切替えできる利便性の高い貯蔵室を冷蔵庫中央部に配置している。
【００７０】
冷蔵庫の使い易さに対して、日本人成人女性の標準的な身長（１５７ｃｍ）の使用者の肘高さである９７センチ（図説エルゴノミクス，日本規格協会編，１９９０年発行）付近は、最も冷蔵庫を使用する成人女性が屈まずにそのままの姿勢で扉の開閉を行える位置である。この位置に使用頻度が高い冷凍室や製氷室、また急速冷凍機能やユーザーが用途に応じ他の貯蔵室に無い温度に切替えられる利便性の高い切替室を配置することで、使い勝手が増しこれまで以上に冷蔵庫が活用され家庭での食生活の向上に寄与するものである。
【００７１】
（実施の形態３）
図５は、本発明の実施の形態３による切替室と冷凍室の一部拡大側面縦断面図である。
【００７２】
なお、実施の形態１または２と同一構成もしくは同一の技術思想が適用できる部分については詳細な説明を省略する。
【００７３】
図５において、切替室１０３は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。たとえば、ソフト冷凍（概ね−１２〜−６℃程度），パーシャルフリージング（概ね−５〜−１℃程度），チルド（概ね−１〜１℃程度）等の冷蔵と冷凍の中間の温度帯である。切替室１０３は製氷室１０４に並設された独立扉を備えた貯蔵室であり、引き出し式の扉を備えることが多い。
【００７４】
第一の冷却ダクト１２１には、冷凍室１０５と冷蔵室１０２、切替室１０３、製氷室１０４に冷気を送風するための冷却風路１２４が形成されている。また、第一の冷却ダクト１２１には冷蔵室１０２と切替室１０３の冷気の流れをそれぞれ調節するダンパー装置としてのツインダンパー１２５が設けられており、冷蔵室１０２と切替室１０３の冷気の流れをそれぞれ調節するダンパー装置をツインダンパー化することにより収容スペースのコンパクト化とコスト削減を図っている。なお、冷却室１２０と第一の冷却ダクト１２１の高さ方向の寸法に余裕度が無いときには、ツインダンパーを冷蔵室１０２と切替室１０３，製氷室１０４を仕切る第一の仕切壁１３２に設置することにより、冷却室１２０内の冷却器１０７や冷却ファン１２２、ラジアントヒータ１２３の配置構成が容易になる。
【００７５】
切替室１０３の背面に相当する第一の冷却ダクト１２１の庫内側には切替室１０３の温度設定に基づき温度調節するためにツインダンパー１２５を開閉させる切替室温度センサー１３６が備えられている。
【００７６】
製氷室１０４の背面に相当する第一の冷却ダクト１２１には、製氷室１０４を冷却するための図示しない冷気吐出口が設けられ、冷凍室１０５の背面に相当する第一の冷却ダクト１２１には、冷凍室１０５を冷却するための冷気が流れる冷凍室用冷気吐出口１２６と吸込口１２７が設けられている。切替室１０３の背面に相当する第一の冷却ダクト１２１には、ツインダンパー１２５により調節された冷気が切替室１０３内に流入する切替室用冷気吐出口１２８ａ、１２８ｂ冷却室１２０に冷気が戻る切替室用冷気吸込口１２９が設けられている。
【００７７】
また、切替室１０３の天面には非接触で食品の温度検知を行う非接触センサーである赤外線センサー１３８が設けられている。
【００７８】
切替室１０３、冷凍室１０５、製氷室１０４にはそれぞれ食品または氷を収納するための切替室用収納容器１３０、冷凍室用収納容器１３１、貯氷容器（図示せず）が設置されている。比較的小容量な切替室１０３に比べ大容量である冷凍室１０５の冷凍室用収納容器１３１は複数個あると収納に便利である。
【００７９】
冷蔵室１０２と切替室１０３，製氷室１０４を仕切る第一の仕切壁１３２と、冷凍室１０５と野菜室１０６を仕切る第二の仕切壁１３３は硬質発泡ウレタンなどの発泡断熱材が発泡充填され、温度差の大きい冷蔵温度帯と冷凍温度帯の断熱性を高めると同時に、冷蔵庫本体１０１の強度を増す役割を果たしている。
【００８０】
切替室１０３は、製氷室１０４と第三の仕切り壁１３４で区画され、冷凍室１０５と第四の仕切り壁１３５で区画されている。第三の仕切り壁１３４と第四の仕切り壁１３５は断熱仕切りであり、第一の冷却ダクト１２１の構成と取り付け方法により断熱材として硬質発泡ウレタンもしくは発泡ポリスチレンとし、硬質発泡ウレタンを用いると断熱性を高められ、特に第四の仕切り壁１３５に硬質発泡ウレタンを用いると切替室１０３を冷蔵温度帯に設定した場合の温度調節が容易となり温度補償用ヒータが不要もしくは必要容量を削減でき、コスト面と消費電力量面でメリットが生まれる。一方、切替室１０３の冷却風路と第一の冷却ダクト１２１の構成、冷却ファン１２２の配置が冷却器１０７の中央に位置しないなど、冷却室１０７が複雑化する。発泡ポリスチレンを用いた場合は、第一の冷却ダクト１２１の構成が簡単であり、取り外しも可能となるため、製造面、サービス面でメリットが生まれる一方、高質発泡ウレタンに比べ約３倍断熱性能が劣るために、切替室１０３を冷蔵温度帯に設定した場合の温度調節が困難となり温度補償用ヒータが必要となり、コスト面と消費電力量面でマイナスである。
【００８１】
切替室用収納容器１３０の底面に、金属製トレー１３７が設けられている。金属製トレー１３７はアルミで形成すると安価であり、ステンレスで形成すると堅牢感が増す。
【００８２】
以上のように構成された冷蔵庫について、以下その動作、作用について説明する。
【００８３】
冷凍室１０５に送風される冷気は、冷凍室用冷気吐出口１２６から冷凍室用収納容器１３１内に吐出され、吸込口１２７から冷却器１０７に戻る。製氷室１０４に送風される冷気は、製氷室１０４用の冷気吐出口（図示せず）から貯氷容器（図示せず）内に吐出され、吸込口１２７から冷却器１０７に戻る。つまり製氷室１０４に吐出された冷気は、冷凍室１０５と同じ吸込口１２７から冷却器１０７に戻ることとなる。これにより、製氷室１０４用の戻りダクトを設ける必要がなく第一の冷却ダクト１２１の簡素化が図れる。
【００８４】
冷蔵室１０２に送風される冷気は、ツインダンパー１２５の冷蔵室１０２用フラップを経由し冷蔵室１０２に送風され、冷蔵室１０２を冷却した後冷蔵室用の戻りダクト（図示せず）を通り、野菜室１０６に送風される。冷蔵室１０２に送風された冷気は、野菜室用戻りダクト（図示せず）を経由し冷却器１０７に戻る。つまり野菜室１０６は、冷蔵室１０２の戻り冷気を利用し貯蔵室内を冷却している。これにより、冷蔵室１０２の戻りダクト（図示せず）を野菜室１０６の送風用ダクト兼用できるため、第一の冷却ダクト１２１の簡素化が図れ、さらに兼用することによりできたスペースを冷却器１０７に利用し、冷却器１０７を拡大させ冷却器能力を向上させることで、冷却能力や消費電力量の向上につなげられる。
【００８５】
なお、野菜室１０６の冷却方法として冷蔵室１０２の戻り冷気を利用せず、第一の冷却ダクト１２１内に野菜室１０６の専用風路を構成し冷却ファン１２２から送風された冷気で冷却することにより、冷気温度が低温のため比較的少ない風量で野菜室１０６を冷却できるため、野菜室１０６内の乾燥が進むのを抑制でき野菜の保鮮性を高められる。
【００８６】
切替室１０３に送風される冷気は、ツインダンパー１２５の切替室１０３用フラップを経由し切替室用冷気吐出口１２８から切替室用収納容器１３０内に吐出され、切替室用冷気吸込口１２９から冷却器１０７に戻る。あらかじめユーザーが設定した温度帯、例えばパーシャルフリージングの設定温度が−３℃とすると、切替室温度センサー１３６が切替室１０３内の温度を検知し−３℃になるようにツインダンパー１２５の切替室１０３用フラップを開閉させる。
【００８７】
また、切替室１０３は食品のあら熱とり機能や熱いままの食品を冷凍保存できる機能を付け加えることもできる。従来、熱いままの食品、例えば調理したての熱いままの食品のあら熱をとる場合や炊き立ての御飯を冷凍保存する場合、常温で一度熱さましを行ってから冷蔵庫に収納するよう取扱説明書などで啓蒙してきた。これは、熱いままの食品を収納することにより、冷蔵庫に収納されていた他の食品に温度影響を与え、特に冷凍保存されていた食品が溶けたりする不具合が生じるためである。しかしながら本実施形態においては、切替室１０３は上下、左右共に隣接する製氷室１０４と冷凍室１０５と断熱しているため、熱いままの食品を収納しても他の食品への温度影響は少ない。さらに、切替室温度センサー１３６とツインダンパー１２５により、切替室温度センサー１３６があらかじめ設定された温度以上を検知すると、熱いものが収納されたと判断しあらかじめ設定された所定温度以下となるまでツインダンパー１２５の切替室１０３用フラップを閉させ冷却を中止する。これは、熱いままの食品温度がある程度低下するまで冷却するのを止め、ある程度食品温度が低下した後に冷却を開始することにより、熱いままの食品による切替室１０３の温度上昇した空気が冷却器１０７に戻り、温度上昇した空気による冷却器１０７の蒸発温度の上昇を抑え、他の貯蔵室へ送風される冷気温度の上昇を抑えるものである。特に冷却器１０７の蒸発温度の上昇、すなわち冷気温度の上昇により製氷室１０４、冷凍室１０５に影響が出るのを防ぐためである。なお、あら熱とり機能や熱いままの食品を冷凍保存できる機能がユーザーの設定、例えばボタンで開始するような場合には、切替室１０３に熱いままの食品が収納されたことが判断できるので、より他の貯蔵室への温度影響を抑制することができる。
【００８８】
切替室用収納容器１３０の底面に金属製トレー１３７を設けたことにより、金属製トレー１３７が熱伝導性を向上させ、切替室用収納容器１３０の底面に収納された食品の冷却スピードを向上させることができる。急速冷凍機能やあら熱とり機能、熱いままの食品を冷凍保存できる機能なども同様に冷却スピードを向上させることができ、特に肉や魚を急速に冷凍保存する急速冷凍機能においては、食品の凍結時間を短縮させ食材の組織を破壊せずに美味しく凍結保存させことができる。
【００８９】
なお、切替室用収納容器１３０の底面に蓄冷材を用いると、食品の冷却スピード向上に加え、あら熱とり機能、熱いままの食品を冷凍保存できる機能時の他の貯蔵室への温度影響を抑制することができる。蓄冷材は一般的な冷凍する食品の凍結温度より低めで最大氷結晶生成帯の温度より低く、冷凍室１０５の温度より高い温度である例えば−１５℃に潜熱を有する材料で構成されている。この蓄冷材の潜熱と顕熱を利用し熱いままの食品が収納されるとこの蓄冷材の潜熱と顕熱で熱さましを行うことで他の貯蔵室への温度影響を抑制するものである。また、扉を開放し切替室用収納容器１３０が外気にさらされた場合でも、外気流入による熱負荷を蓄冷材で吸熱するので容器内が低温に保たれ、貯蔵されている食品の温度上昇が抑制でき品質劣化の抑制が可能である。
【００９０】
また、本実施の形態では、切替室温度センサー１３６に加え、例えば第一の仕切壁１３２に赤外線センサー１３８を設け切替室用収納容器１３０内に収納された食品の温度を検知しているので、食品の温度を瞬時に判断でき、ツインダンパー１２５の切替室１０３用フラップの角度を調整することで、例えば吐出口１２８ａのみをあけて吐出口１２８ｂは閉塞させることで収納容器１３０内へ直接冷気が流れることで急速冷凍を行うことも可能であり、例えば、緩慢に貯蔵室を冷却することで過冷却温度での冷凍を実現する場合には、吐出口１２８ａは閉塞して吐出口１２８ｂのみを開くことで収納容器の外周を通って緩やかに冷却を行うことも可能である。さらに、赤外線センサー１３８で検知した温度が高温の場合には、ツインダンパー１２５を閉として吐出口１２８ａおよび吐出口１２８ｂ共に閉塞させて冷却を中止し他の貯蔵室への温度影響の抑制精度を向上した上で、底面に備えられた蓄冷材によって一定温度に食品が温度低下した後に、冷却を開始すなわちツインダンパー１２５を開けるといった制御を行うと、より省エネルギーで多の貯蔵室への温度影響の少ない冷却を実現することができる。
【００９１】
このように、最も冷蔵庫を使用する成人女性が屈まずにそのままの姿勢で扉の開閉を行える位置に使用頻度が高い冷凍室や製氷室、またユーザーが用途に応じ様々な温度を切替えられ、急速冷却機能など多岐にわたり広範囲に使用できより高品質の冷凍保存ができる利便性の高い切替室を配置することで、使い勝手が増しこれまで以上に冷蔵庫が活用され家庭での食生活の向上に寄与するものである。
【００９２】
（実施の形態４）
図６は、本発明の実施の形態４による切替室と冷凍室の一部拡大側面縦断面図である。
【００９３】
なお、実施の形態１乃至３と同一構成もしくは同一の技術思想が適用できる部分については詳細な説明を省略する。
【００９４】
図６において、切替室１０３は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。たとえば、ソフト冷凍（概ね−１２〜−６℃程度），パーシャルフリージング（概ね−５〜−１℃程度），チルド（概ね−１〜１℃程度）等の冷蔵と冷凍の中間の温度帯である。
【００９５】
本実施の形態では、切替室１０３を冷蔵〜冷凍に至る各温度帯をマルチに設定可能な例としたが、これに限らず冷凍と前述のソフト冷凍の選択としたり、或いは切替室ということでなく冷凍室のみの単一機能としても構わない。なお、切替室１０３は製氷室１０４に並設された独立扉を備えた貯蔵室であり、引き出し式の扉を備えることが多い。
【００９６】
第一の冷却ダクト１２１には、冷凍室１０５と冷蔵室１０２、切替室１０３、製氷室１０４に冷気を送風するための冷却風路１２４が形成されている。また、第一の冷却ダクト１２１の流通路には冷蔵室１０２への冷気の流れを調節するダンパー装置としてのシングルダンパー（図示せず）と切替室１０３への冷気の流れを調節するダンパー装置としてのツインダンパー１４１がそれぞれ設けられている。
【００９７】
切替室１０３の背面に相当する第一の冷却ダクト１２１の庫内側には切替室１０３の温度設定に基づき温度調節するためにツインダンパー１４１の二つのダンパーフラップを適宜開閉させる切替室温度センサー１３６が備えられている。
【００９８】
切替室１０３内への冷気供給に関しては、室内背面に相当する位置に開口された切替室用冷気吐出口１４１ａと室内天面の比較的前方にダクト１４１ｃを通じて開口された切替室用冷気吐出口１４１ｂの二箇所によって行われ、これら二つの切替室用冷気吐出口１４１ａ，１４１ｂは切替室１０３内において前後に分かれて冷気を吐出するような関係になっている。そして、ツインダンパー１４１の二つの各ダンパーフラップに切替室用冷気吐出口１４１ａ，１４１ｂがそれぞれ割り付けられ、それぞれのダンパーフラップで調節された冷気が切替室用冷気吐出口１４１ａまたは切替室用冷気吐出口１４１ｂを介して切替室１０３内に供給されるように構成されている。
【００９９】
また、切替室１０３内の後方には切替室用冷気吐出口１４１ａまたは切替室用冷気吐出口１４１ｂから室内に供給された冷気を冷却器１０７が収容された冷却室１２０に戻すための切替室用冷気吸込口１４２が設けられている。本実施形態においては切替室用冷気吐出口１４１ａまたは切替室用冷気吐出口１４１ｂから室内に供給された冷気は、切替室用収納容器１３０の外周を流通して室内後方にある切替室用冷気吸込口１４２に回収され、図示しない戻りダクトを通じて冷却室１２０に戻される。
【０１００】
また、切替室１０３の天面には非接触で食品の温度検知を行う非接触センサーである赤外線センサー１３８が設けられている。赤外線センサー１３８の設置位置は切替室１０３内に収納された食品等の収納物の温度を効果的に検出できる配置構成であれば特に限定されず目的に応じて選定すればよいが、比較的出し入れのされ易い室内前方に寄せて配置すると新たな収納物を検知し易いほか、実質的検知範囲を極力広角となるよう用いるためには室内中央に配置するよりも、比較的前方に片寄せて取り付け角度も配慮しながら室内後方に向けてワイドな検出範囲を確保できるようにすると好都合となる。赤外線センサー１３８が単一の固定された構成であると十分な検知範囲を確保できなければ、複数に増設したり、可動式の赤外線センサーとして検知範囲や検知精度を高める方法を用いてもなおよい。
【０１０１】
切替室１０３は、製氷室１０４と第三の仕切り壁１３４で区画され、冷凍室１０５と第四の仕切り壁１３５で区画されている。第三の仕切り壁１３４と第四の仕切り壁１３５は断熱仕切りであり、断熱材として通常は硬質発泡ウレタンもしくは発泡ポリスチレンとし、硬質発泡ウレタンを用いると断熱性を高められ、特に第四の仕切り壁１３５に硬質発泡ウレタンを用いると切替室１０３を冷蔵温度帯やチルド，氷温，パーシャルフリージングなど冷凍室１０５との温度差が比較的大きい温度帯に設定した場合の温度調節が容易となり温度補償用ヒータが不要もしくは必要容量を削減でき、コスト面と消費電力量面でメリットが生まれる。もし、更なる断熱性が必要であれば硬質発泡ウレタンよりも数倍の断熱性を有する真空断熱材を適宜用いることも考慮できる。
【０１０２】
一方で、切替室１０３の温度設定を前述のような冷凍室１０５との温度差が比較的大きくないソフト冷凍などの温度帯や、これに冷凍温度帯への切替を加えたりした設定とした場合は、第四の仕切り壁１３５の断熱性を低下させる、すなわち断熱壁の厚さを薄くする、もしくは、断熱性の劣る断熱材に置き換えるなどの対応が可能であり、冷凍温度帯のみの設定とする場合は、第四の仕切り壁１３５の断熱をなくしたり、第四の仕切り壁１３５自体の存在を廃止したりすることも可能である。この点は、製氷室１０４との間の第三の仕切り壁１３４についても同様の対応が可能であり、両室相互間に冷却品質上の問題が生じない範囲で適宜構成を選択することができる。
【０１０３】
第四の仕切り壁１３５の断熱性を低下させるケースについては、切替室１０３内に対する間接的な冷却源として冷凍室１０５を利用し、安定冷却時の切替室用冷気吐出口１４１ａ，１４１ｂから切替室１０３内への直接の冷気供給の比率を低下させてダクト送風抵抗ロスによるエネルギー損失を抑えて省エネルギー化に繋げたり、室内の冷気供給，停止の断続による収納物の温度変動や乾燥を極力抑えて保存品質を高めたりすることも有用な手段となる。
【０１０４】
切替室用収納容器１３０の底面には金属製トレー１３７が設けられている。金属製トレー１３７はアルミで形成すると安価であり、ステンレスで形成すると堅牢感が増す。なお、金属製トレー１３７の代わりに蓄冷材を用いて冷却促進や冷却の安定性を図ることも有用である。また、金属製トレー１３７と蓄冷材を併用してもいいし、蓄冷材を仕込んだ金属容器的な部材を用いることも考えられる。
【０１０５】
以上のように構成された冷蔵庫について、以下その動作、作用について切替室１０３に対する部分を中心に説明する。
【０１０６】
冷却器１０７により冷却された冷気は、冷却風路１２４を通じてツインダンパー１４１の二つのダンパーフラップを経由し、室内後方に開口した切替室用冷気吐出口１４１ａからと室内天面に開口した切替室用冷気吐出口１４１ｂから切替室１０３内に吐出され、切替室用収納容器１３０の外周を循環し、一部は切替室用収納容器１３０から溢れて室内後方に開口した切替室用冷気吸込口１２９から冷却器１０７に戻る。あらかじめユーザーが設定した温度帯、例えば冷凍温度の−１８℃とすると、切替室温度センサー１３６が切替室１０３内の温度を検知し−１８℃になるようにツインダンパー１４１のダンパーフラップを開閉させて供給冷気量を調節し所望の温度に冷却安定させる。
【０１０７】
このとき、二つの切替室用冷気吐出口の双方を用いるか、どちらか一方を用いるかの選択があるが、切替室温度センサー１３６を一つだけ設ける場合は、通常は切替室温度センサー１３６の検知温度に対してツインダンパー１４１の二つのダンパーフラップは同時に開閉動作を行い切替室用冷気吐出口１４１ａ，１４１ｂの双方から冷気の供給が行われて室内を速やかに所望の温度に冷却する。
【０１０８】
これに対して、ツインダンパー１４１の二つのダンパーフラップのそれぞれの開閉動作（フラップを駆動させるモーター等の制御による）に対して個別の切替室温度センサーをそれぞれ適切な位置（例えば、切替室用冷気吐出口１４１ａに対しては室内後方、切替室用冷気吐出口１４１ｂに対しては室内前方など）に設けると、切替室１０３内の前後の温度分布の状況に応じて、よりきめ細やかな冷気供給の制御を行うこともできる。
【０１０９】
そして、このような冷却制御をベースにして赤外線センサー１３８で検知する温度の情報を加味すると、切替室１０３内への食品等の収納物を投入した場合に、新たな収納物投入による温度上昇を赤外線センサー１３８が検知し、非定常の状態を冷却促進して速やかに安定化させるために、投入された領域に見合った切替室用冷気吐出口１４１ａもしくは切替室用冷気吐出口１４１ｂに通じるダンパーフラップを選択して開放させ冷気供給するような効果的な集中冷却も可能となる。ツインダンパー１４１の二つのダンパーフラップをそれぞれの切替室用冷気吐出口に通じる風路に割り付けた構成になるので、風路の切替が精度よく確実に行える。
【０１１０】
また、切替室１０３は食品のあら熱とり機能や熱いままの食品を冷凍保存できる機能を付け加えることもできる。従来、熱いままの食品、例えば調理したての熱いままの食品のあら熱をとる場合や炊き立ての御飯等を冷凍保存する場合、常温で一度熱さましを行ってから冷蔵庫に収納するよう取扱説明書などで啓蒙してきた。これは、熱いままの食品を収納することにより、冷蔵庫に収納されていた他の食品に温度影響を与え、特に冷凍保存されていた食品が溶けたりする不具合が生じるためである。
【０１１１】
しかしながら本実施形態においては、熱いままの食品を投入しても赤外線センサー１３８が熱いものが収納されたと判断し、ツインダンパー１４１の二つのダンパーフラップのうち、投入食品が置かれた領域に対して適切な切替室用冷気吐出口に連通するダンパーフラップを開放させてあらかじめ設定された所定温度以下となるまで投入食品に対する集中冷却を行い、速やかに温度低下させるので温度が高い状態を長く維持することによる食品品質の劣化（変質，変色，乾燥等）や他の食品への温度影響を阻止することができる。
【０１１２】
すなわち、切替室収納容器１３０内の前方領域に食品が投入されたと検知した場合は天面の切替室用冷気吐出口１４１ｂから冷気を供給し、切替室収納容器１３０内の後方領域に食品が投入されたと検知した場合は後方の切替室用冷気吐出口１４１ａから冷気を供給する。ただし、いずれかの領域のみに特定されず切替室収納容器１３０内領域の双方や全域に亘って食品が投入されたと判断された場合は、切替室用冷気吐出口１４１ａ，１４１ｂの双方から冷気供給させるようにツインダンパー１４１の二つのダンパーフラップの双方を開放させてさらに冷却促進させることも可能である。
【０１１３】
また、切替室用収納容器１３０の底面に金属製トレー１３７を設けたことにより、金属製トレー１３７が熱伝導性を向上させ、切替室用収納容器１３０の底面に収納された食品の冷却スピードを向上させることができる。急速冷凍機能やあら熱とり機能、熱いままの食品を冷凍保存できる機能なども同様に冷却スピードを向上させることができる。
【０１１４】
さらに、切替室用収納容器１３０の底面に蓄冷材を用いると、食品の冷却スピード向上に加え、あら熱とり機能、熱いままの食品を冷凍保存できる機能時の他の貯蔵室への温度影響をより一層抑制することができる。
【０１１５】
蓄冷材は一般的な冷凍する食品の凍結温度より低めで最大氷結晶生成帯の温度より低く、冷凍室１０５の温度より高い温度である例えば−１５℃に潜熱を有する材料で構成されている。この蓄冷材の潜熱と顕熱を利用し熱いままの食品が収納されるとこの蓄冷材の潜熱と顕熱で熱さましを行うことで他の貯蔵室への温度影響を抑制するものである。また、扉を開放し切替室用収納容器１３０が外気にさらされた場合でも、外気流入による熱負荷を蓄冷材で吸熱するので容器内が低温に保たれ、貯蔵されている食品の温度上昇が抑制でき品質劣化の抑制が可能である。
【０１１６】
これに対して、たとえば急速な冷凍温度への冷却（凍結）や熱いままの収納物のあら熱とりや熱冷ましなどの作用を、他の観点での品質向上や他への品質影響軽減の点から考慮すれば、切替室１０３の冷却を以下のような方法で行わせることも一定の意義が見出せ選択事項として考えられる。
【０１１７】
すなわち、切替室１０３への新たな食品の投入に対して敢えて冷却初期から所定時期までは切替室用冷気吐出口１４１ａ，１４１ｂの双方に通じるツインダンパー１４１のダンパーフラップを閉じ、切替室１０３内に冷気供給をせず自然放冷に任せるというものであり、この自然放冷期間に切替室１０３の周囲室、特に第四の仕切り壁１３５を介しての冷凍室１０５からの温度差を生かしての吸熱（間接冷却）作用や、金属製トレー１３７や蓄冷材による吸熱（伝導冷却）作用によって投入食品は徐冷される。
【０１１８】
この徐冷作用が進んで食品の凍結点に到達してもなお徐冷が進み、やがて凍結点を越えて過冷却の状態に移行する。この状態において、何らかの外的刺激を加える（例えば、切替室用冷気吐出口１４１ａまたは１４１ｂ、またはその双方に通じるツインダンパー１４１のダンパーフラップを開放して急激に冷気を供給し始める）ことにとって、食品の過冷却状態が解除され凍結点に急激に上昇復帰する際に、過冷却状態の深さと時間に応じて凍結潜熱が瞬時に奪われて微細な氷結晶が食品細胞内に無数に発現することが期待できる。
【０１１９】
この微細な氷結晶が生じた状態で切替室用冷気吐出口１４１ａまたは１４１ｂまたはその双方からの冷気供給を受けて食品が直接冷却されて冷凍温度帯に至ると、ベースの氷結晶が比較的大きく、氷結晶が肥大化して食品細胞を傷めやすい通常の冷凍に比べてベースの氷結晶が微細であるために氷結晶が成長しても肥大化しにくく食品細胞が破壊されにくくなり、冷凍貯蔵の品質を高めることができることが期待できる。
【０１２０】
一方、新たな投入食品が温度の高い食品であり、この食品のあら熱取りや熱冷ましを品質に配慮しながら行いたい場合に、同様に切替室１０３内への冷気の供給を投入初期より一時的に断って、この間に自然放冷させ、ある程度食品温度が低下した後に冷却を開始することにより、熱いままの食品による切替室１０３の温度上昇した空気が冷却器１０７に戻り、温度上昇した空気による冷却器１０７の蒸発温度の上昇を抑え、他の貯蔵室へ送風される冷気温度の上昇を抑える。特に冷却器１０７の蒸発温度の上昇、すなわち冷気温度の上昇により製氷室１０４、冷凍室１０５に影響が出るのを防ぎ、同時に熱影響による余分な冷却運転を抑えて省エネルギー化を図ることを期待できる。
【０１２１】
なお、前述の過冷却状態が解除をさせたり、熱いものの自然放冷から強制冷却に移るタイミングでツインダンパー１４１のダンパーフラップを開放する制御は、赤外線センサー１３８による投入食品の温度推移の検知により行うことができる。なお、過冷却を利用した冷凍やあら熱とり機能や熱いままの食品を冷凍保存できる機能がユーザーの設定、例えばボタンで開始するような場合には、切替室１０３に食品が収納されたことが判断できるので、赤外線センサー１３８のみに依存せず、簡易的に時間タイマーを用いる、もしくは併用するようなことも実用的には考えられる。
【０１２２】
ここで、自然放冷を促進させる方法に関しては切替室１０３と冷凍室１０５との間の第四の仕切り壁１３５の断熱性を前述のように調整することにより、冷凍室１０５を間接的な冷却源として利用することができ有効な手段となり得る。これは、上下に冷蔵室１０２，野菜室１０６の冷蔵温度帯の貯蔵室を区画し、切替室１０３，製氷室１０４，冷凍室１０５のいわゆる冷凍温度帯を有する貯蔵室を、冷蔵庫本体の中央部に集約させ、冷凍温度帯の使い勝手に配慮したレイアウトとしたことにより、合理的かつ効果的に行える冷却効率の高い冷却方法である。
【０１２３】
また、過冷却や自然放冷の徐冷を行わせる際に、全く冷気を供給しないかどうかは実用的には考慮の余地があり、例えば天面に設けた切替室用冷気吐出口１４１ｂを室内天面の前方に設けて切替室用収納容器１３０の外周を循環するような冷気吐出形態として、切替室の冷却補償を行わせるようなことや、切替室用冷気吐出口１４１ａまたは１４１ｂから短時間のみ時々室内に冷気を送って冷却補償を行わせるようなことが過冷却状態を維持し自然放冷の目的を損なわない範囲で選択できる。
【０１２４】
なお、本実施の形態では切替室用冷気吐出口１４１ａを切替室１０３の後方に開口させ、切替室用冷気吐出口１４１ｂを切替室１０３の天面に開口させる構成として説明したが、これに関わらず、例えば切替室用冷気吐出口１４１ａ，１４１ｂともに切替室１０３の後方に置いて上下に使い分けてもよく、この場合は切替室用冷気吐出口１４１ｂまで冷気を導くダクト１４１ｃが不要となり構造は簡素化される。また、その他の配置の組合せでも構わない。すなわち、冷却分担する領域をどのように区分するかに応じて切替室用冷気吐出口の配置を適宜決めればよい。
【０１２５】
以上、切替室１０３を冷凍温度に設定する場合について主に述べたが、これらの有用な効果は切替室１０３をソフト冷凍の温度帯に設定する場合にも享有でき、過冷却現象を利用した凍結や熱いもののそのまま貯蔵など、終結温度帯がソフト冷凍である方が使い勝手上（短期貯蔵や調理，加工処理の便利さ）を中心としてメリットのある場合に実用的効果を得ることができる。
【産業上の利用可能性】
【０１２６】
以上のように、本発明にかかる冷蔵庫は、使い勝手の最もよい冷蔵庫中央部に使用頻度の高い冷凍室を設け、その冷凍室の一角に切替機能や熱いものをそのまま保存できる便利機能を備えた切替室を構成することで使い勝手を向上させることができ、多様な貯蔵室を複数有する冷蔵庫の用途に広く適用できる。
【図面の簡単な説明】
【０１２７】
【図１】本発明の実施の形態１における冷蔵庫の正面図
【図２】本発明の実施の形態１における冷蔵庫の側面縦断面図
【図３】本発明の実施の形態１における切替室と冷凍室の一部拡大側面縦断面図
【図４】本発明の実施の形態２における切替室と冷凍室の一部拡大側面縦断面図
【図５】本発明の実施の形態３における切替室と冷凍室の一部拡大側面縦断面図
【図６】本発明の実施の形態４における切替室と冷凍室の一部拡大側面縦断面図
【図７】従来技術における冷蔵庫の側面縦断面図
【符号の説明】
【０１２８】
１０２  冷蔵室（貯蔵室）
１０３  切替室（貯蔵室）
１０４  製氷室（貯蔵室）
１０５  冷凍室（貯蔵室）
１０６  野菜室（貯蔵室）
１２８ａ，１２８ｂ，１４１ａ，１４１ｂ  切替室用冷気吐出口
１３０  切替室用収納容器（容器）
１３７  金属製トレー
１３８  赤外線センサー
【図１】
2010060263.tif 000003
【図２】
2010060263.tif 000004
【図３】
2010060263.tif 000005
【図４】
2010060263.tif 000006
【図５】
2010060263.tif 000007
【図６】
2010060263.tif 000008
【図７】
2010060263.tif 000009
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
複数の貯蔵室を備えた断熱箱体であって、前記貯蔵室の中で冷凍温度帯に設定可能な冷凍室は上下方向における両側に隣接貯蔵室が備えられるとともに前記冷凍室は複数設けられるものであり、前記複数の冷凍室の少なくとも１つは多温度領域に温度設定可能とし、前記多温度領域に温度設定可能な貯蔵室内を前方領域と後方領域との複数の貯蔵領域に分けるとともに、前記多温度領域に温度設定可能な貯蔵室内に冷気を吐出する複数の冷気吐出口を備え、前記複数の冷気吐出口は、前記後方領域に冷気を吐出する前記貯蔵室内の後方に開口した冷気吐出口と、前記前方領域に冷気を吐出する前記貯蔵室内の天面に開口した冷気吐出口とを備えた冷蔵庫。
【請求項２】
断熱箱体の最上部に冷蔵室と、最下部に野菜室、前記冷蔵室と前記野菜室の間に冷凍温度帯の貯蔵室を複数備え、前記冷凍温度帯の貯蔵室の中で最上部に位置する貯蔵室を多温度領域に温度設定可能な冷凍室とした請求項１に記載の冷蔵庫。
【請求項３】
多温度領域に温度設定可能な冷凍室もしくは切替室の天面に、食品の表面温度を検知する赤外線センサーを設置した請求項１または２に記載の冷蔵庫。
【請求項４】
多温度領域に温度設定可能な冷凍室に備えられた赤外線センサーは、複数の赤外線センサーで構成されるもしくは可動式の赤外線センサーであることで、検知範囲を高めた請求項３に記載の冷蔵庫。
【請求項５】
多温度領域に温度設定可能な冷凍室は、貯蔵室内において複数の領域に分かれて冷気を吐出する冷気吐出口を備え、赤外センサーによって熱いものが収納されたと判断した領域に対して集中冷却を行う請求項４に記載の冷蔵庫。
【請求項６】
赤外線センサーがあらかじめ設定された温度以上を検知すると、熱いものが収納されたと判断しあらかじめ設定された所定温度以下となるまで冷却を中止する請求項３から５のいずれか一項に記載の冷蔵庫。
【手続補正２】
【補正対象書類名】明細書
【補正対象項目名】００１７
【補正方法】変更
【補正の内容】
【００１７】
請求項１に記載の冷蔵庫は、複数の貯蔵室を備えた断熱箱体であって、前記貯蔵室の中で冷凍温度帯に設定可能な冷凍室は上下方向における両側に隣接貯蔵室が備えられるとともに前記冷凍室は複数設けられるものであり、前記複数の冷凍室の少なくとも１つは多温度領域に温度設定可能とし、前記多温度領域に温度設定可能な貯蔵室内を前方領域と後方領域との複数の貯蔵領域に分けるとともに、前記多温度領域に温度設定可能な貯蔵室内に冷気を吐出する複数の冷気吐出口を備え、前記複数の冷気吐出口は、前記後方領域に冷気を吐出する前記貯蔵室内の後方に開口した冷気吐出口と、前記前方領域に冷気を吐出する前記貯蔵室内の天面に開口した冷気吐出口とを備えたものである。